(57)【特許請求の範囲】
【請求項１】
ベッド本体に一体又は別体で備えるマッサージ用マットにおいて、マットの上面部に配置されたフィルムヒータと、該フィルムヒータへの通電加熱を制御するコントローラを有し、
フィルムヒータは、下面フィルムと、
下面フィルム上にコーテイングされた収縮膨張防止用不織布と、
該不織布上に塗布された炭素発熱体と、
炭素発熱体の上面側にコーテイングされた収縮膨張防止用不織布と、
炭素発熱体上面にコーテイングされた収縮膨張防止用不織布上にコーテイングした上面フィルムと、
炭素発熱体の傍らに炭素発熱体に通電可能に設けられた電極と、を有し、
コントローラは電源と前記電極間に設けられた配線に介装されていることを特徴とするマッサージ用マット。
【請求項２】
上面フィルム、下面フィルムは夫々外部に面してポリエチレンテレフタレート（ＰＥＴ）フィルム、ポリエチレンテレフタレート（ＰＥＴ）フィルムに重ねて密着したポリエチレン（ＰＥ）フィルムを有することを特徴とする請求項１に記載のマッサージ用マット。
【請求項３】
下面フィルムのポリエチレンテレフタレート（ＰＥＴ）フィルムとポリエチレン（ＰＥ）フィルムの間において、何れかのフィルムにアルミ粉を蒸着させたことを特徴とする請求項２に記載のマッサージ用マット。
【請求項４】
請求項１から３の何れか１つのマットを備えたマッサージ用ベッド。
【発明の詳細な説明】
【技術分野】
【０００１】
本発明は被施術者が伏せた状態を保つマッサージ用マット及びベッドに関する。
【０００２】
一般にベッドはベッド本体上にマットを置く形式、マット機能の内ばね等の弾力支持体をベッド本体側に設けた形式、ベッド本体がマットと一体化した場合を含む。本発明はかかるベッド構成の最も上面部の構成に係る。
【背景技術】
【０００３】
マッサージ用ベッドには形状、格納に創意をこらしたもの、或はマットに工夫をこらしたものが提供されている。マット上に電気抵抗線を張りめぐらしたホットシートを用いたものが知られている。また、遠赤外線を放射する粒状物質を内部に収納したマットは折り曲げ、収納が困難また、折り曲げると破損のおそれがあることを解決するために特許文献１に記載された介護用ベッドは粒度１〜１０ｍｍの表面が滑らかな硬質粒状物からなる多数の遠赤外線放射体を袋体に入れた厚みが５〜４０ｍｍの遠赤外線放射層と、遠赤外線放射層を下から支持する断熱材と、支持板の下側に設けられたクッション性を有する厚み５〜１００ｍｍの断熱材と、遠赤外線放射層と支持板間又は支持板と断熱材の間に設けられた面状ヒータと、外側カバーと、を有する小型マットを連結手段で連結したマットを使用している。
【０００４】
特許文献２に示すマットレスは発泡資材製芯材の上に薄手のクッション層を配置し、クッション層の上にフェルト層を配置してなる３層を不織布等製袋状体内に収め、袋状体上に遠赤外線シートを載置し、これら全体の上面内側に永久磁石を定着して側生地で被覆している。
【先行技術文献】
【特許文献】
【０００５】
特許文献１    登録実用新案第３１５７２１９号
特許文献２    実開平５−８８３６６号公報
【非特許文献】
【０００６】
なし
【発明の概要】
【発明が解決しようとする課題】
【０００７】
特許文献１に記載の介護用ベッドは硬質粒状物を袋体に入れているので、ベッド上の人の動きにより硬質粒状物が偏ってしまう。また、面状ヒータを遠赤外線放射層とは別に設ける必要があり、全体に寸法上も厚く、構成が複雑化している。そして、面状ヒータが加熱されても硬質粒状物が加熱されて昇温するまでは有効に遠赤外線が発生しない。特許文献２に記載のマットレスで遠赤外線シートの加熱手段を備えておらず、室温で生ずる遠赤外線はわずかである。
【０００８】
本発明は上記従来例に比較して通電により直ちに遠赤外線を発生すると共に柔軟性があって厚みの薄いフィルムヒータを有するマッサージ用マット及びベッドを提供することを目的とする。
【課題を解決するための手段】
【０００９】
本発明に係る第１の発明はベッド本体に一体又は別体で備えるマッサージ用マットにおいて、マットの上面部に配置されたフィルムヒータと、該フィルムヒータへの通電加熱を制御するコントローラを有し、フィルムヒータは、下面フィルムと、下面フィルム上にコーテイングされた収縮膨張防止用不織布と、
【００１０】
該不織布上に塗布された炭素発熱体と、炭素発熱体の上面側にコーテイングされた収縮膨張防止用不織布と、  炭素発熱体上面にコーテイングされた収縮膨張防止用不織布上にコーテイングした上面フィルムと、炭素発熱体の傍らに炭素発熱体に通電可能に設けられた電極と、を有し、コントローラは電源と前記電極間に設けられた配線に介装されていることを特徴とするマッサージ用マットである。
【００１１】
本発明に係る第２の発明は上面フィルム、下面フィルムは夫々外部に面してポリエチレンテレフタレート（ＰＥＴ）フィルム、ポリエチレンテレフタレート（ＰＥＴ）フィルムに重ねて密着したポリエチレン（ＰＥ）フィルムを有することを特徴とする請求項１に記載のマッサージ用マットである。
【００１２】
本発明に係る第３の発明は下面フィルムのポリエチレンテレフタレート（ＰＥＴ）フィルムとポリエチレン（ＰＥ）フィルムの間において、何れかのフィルムにアルミ粉を蒸着させたことを特徴とする第２の発明に記載のマッサージ用マットである。
本発明に係る第４の発明は第１から第３の発明に記載の何れか１つのマットを備えたマッサージ用ベッドである。
【発明の効果】
【００１３】
請求項１に係る発明によればフィルムヒータが柔軟性があるのでマットの柔軟性を損なわれずマット上に横たわる被施術者が快適な感じを持つ。フィルムヒータに通電すると直ちに遠赤外線を発生すると共に直ちに被施術者に達して加熱する。従来のマット上面付近に施工することが容易である。
【００１４】
請求項２に係る発明によれば夫々外部に面する上面フィルム、下面フィルムはポリエチレンテレフタレート（ＰＥＴ）フィルムを用いているので一般に軟質で強度大であり電気絶縁性はとくに強く、水分透過率小でフィルム加工容易の特性があり格別に強い、フィルムヒータが柔軟で外面が汚れ難く、電気に対する安全性が高い。また、ポリエチレンテレフタレート（ＰＥＴ）フィルムの内側にポリエチレン（ＰＥ）フィルムを用いたので、軟質で電気絶縁性大、耐薬品性が大、水分透過率が小であるので、フィルムヒータ外部からの水分はポリエチレンテレフタレート（ＰＥＴ）とフィルムと併せて炭素発熱体に達するおそれはなく、また、フィルムヒータの電気特性の確保は容易である。
請求項３に係る発明によれば赤外線がフィルムヒータ下方へ放射されることが抑制される。
請求項４に係る発明によればマッサージにおいて上記効果を有効ならしめる。
【図面の簡単な説明】
【００１５】
【図１】フィルムヒータの断面図である。
【図２】フィルムヒータの平面図である。
【図３】フィルムヒータの配線図である。
【図４】フィルムヒータの他の実施例の断面図である。
【図５】マッサージ用ベッドの斜視図である。
【図６】マットの断面図である。
【実施例】
【００１６】
以下図面を用いて本発明の実施例について説明する。
【００１７】
図５は本発明の適用されるマッサージ用ベッドの斜視図である。脚１ａ付のフレーム１の天板１ｂ上には断面を図６に模式的に示すマット２が置かれている。このマット２は外被３が袋状の布製であって厚さは８０〜１００ｍｍ程度で縦横は人が横たわれる大きさ例えば巾１００ｍｍ長さ２００ｍｍとなっている。外被３中には全体を符号４で示すフィルムヒータと、フィルムヒータ４を支持する支持体５とからなる。尚外被３としては上面を有さずフィルムヒータ４が直接外部に面してもよい。
【００１８】
図１はフィルムヒータの断面図である。図１は厚み方向を誇張して大きく画いた模式断面図である。ここではフィルムヒータ４の中間部の断面のみをのべる。平面の構成は後述する。
【００１９】
図１において下面材６はポリエチレンテレフタレート（ＰＥＴ）のフィルム６ａ上にポリエチレン（ＰＥ）のフィルム６ｂを密着して重ね合わせてなる。即ち、下面材６は下面フィルムとして構成される。下面材６の上面には収縮膨張防止材７をコーテイングしてある。収縮膨張防止材７は熱によりフィルムヒータ４が伸縮するのを抑止する。収縮膨張防止材７は不織布である。収縮膨張防止材７を施された下面材６上には発熱体８が塗布して設けてある。発熱体８は通電により発熱する炭素粉を用いている。発熱体８の塗布範囲は下面材６の上面に設ける後述のフィルムヒータ４をマット２に対して固定するための絶縁部を除く全域である。従って発熱体８の面積は下面材６の上面に近い面積となる。
【００２０】
発熱体８の上面には収縮膨張防止材９として不織布がコーテイングされている。収縮膨張防止材９の上面には上面材１０がラミネートされる。上面材１０はポリエチレンテレフタレート（ＰＥＴ）のフィルム１０ａの下面にポリエチレン（ＰＥ）のフィルム１０ｂを密着して重ね合わせてなる。即ち、上面材１０は上面フィルムとして構成される。
【００２１】
上記のように構成したフィルムヒータ４の各層の間は密着しており空気層がない。フィルムヒータ４の厚さは０.４９ｍｍである。上記のような構成のフィルムヒータ４は可焼性がある。
図２はフィルムヒータ４の平面図である。
【００２２】
本例では幅Ｗは９１０ｍｍ、長さはマット２の全長２ｍ近くとなっている。従って、マット２の支持体５の周縁を残して支持体５と重なっている。図２において発熱体８はフィルムヒータ４の幅方向（マット４の幅方向と同じ方向）を間を開けて３分割している。３分割された発熱体８ａ，８ｂ，８ｃの長さ方向は同一長さである。フィルムヒータ４の下面材６、上面材１０はその幅Ｗ方向は連続しており分割されていない。各発熱体８の両側の縁上には発熱体８に重ねて帯状の電極１１が設けてある。電極１１は銅線である。電極１１と発熱体８は重ねてあるだけで電極１１の長手方向の縁を除いて接着していない。電極１１の長手方向の両側の縁は導電性の接着剤で発熱体８に固着されている。これによって、温度変化による電極１１と発熱体８の面方向の熱膨張差によるストレスが緩和される。電極１１は従って、電熱体８ａ，８ｂ，８ｃの夫々の両縁に構成されている。
【００２３】
電極１１を重ねられた各発熱体８ａ，８ｂ，８ｃの両側の縁の電極１１に沿って下面材６と上面材１０をラミネート処理して一体的にした帯状の取付部１２a，１２ｂが設けてある、フィルムヒータ４の両縁となる取付部１２aの幅は、発熱体８ａと８ｂ間、８ｂと８ｃ間の取付部１２ｂのほぼ半分である。フィルムヒータ２の長手方向の端には取付部１２ｃが設けてある。これらの取付部１２ａ，１２ｂ，１２ｃは針釘等を容易にとおすことができる。従って、取付部１２ａ，１２ｂ，１２ｃを&#32334;糸等を貫通させてマット２の支持体５にフィルムヒータ４結合することができる。
【００２４】
図３はフィルムヒータ４に対する配線図である。上記電極１１に商用電源から電力を供給され夫々の発熱体８ａ，８ｂ，８ｃは通電発電する。商用電源からコントローラ１３を介して各発熱体８ａ，８ｂ，８ｃの夫々の両側間において電極１１に電圧が加えられるように配線１４が設けられている。コントローラ１３には温度センサからの配線が設けてある。図示されない温度センサはフィルムヒータ４の外部にフィルムヒータ４の発熱体８の位置においてフィルムヒータ４に接して設けられている。これに温度センサが検出した温度が設定温度になるようにコントローラ１３は配線１４を通じて通電電流を制御する。
【００２５】
マット２の図6に示す支持体５としては、最下層の基材例えば発砲スチロール、発砲エチレン等の上にウレタンフォーム材の弾性層が設けられる。ウレタンフォームの弾性層上には断熱材が置かれる。断熱材上にフィルムヒータ４が載置される。フィルムヒータ４は少なくとも周縁がこの断熱材と結合される。この結合はフィルムヒータ４の縁部の取付部１２ａ，１２ｃについては全長にわたり連続して複数箇所であり、中間の取付部１２ｂは適宜間隔で、縫綴作業として行う。又は縫綴作業として併せて接着材を用いる。
支持体５としてはベッド上に置かれる通常のマットでもかまわない。
このように構成されたマッサージ用ベッドにおいては次のように用いる。
【００２６】
被施術者はマッサージ用ベッド上に腹這になって横臥する。フィルムヒータ４は柔軟でマット２のマットとしての性能を阻害することはない。フィルムヒータ４は予め通電加熱しておく必要はなく、被施術者がマッサージ用ベッド上に横臥してから通電加熱することで足りる。何故ならば、発熱体８は炭素粉の薄層であって熱容量が小さく、通電後の温度上昇が早いからである。これにより、発熱体８から遠赤外線が放射される。遠赤外線は光であり電磁波であるから、発熱体８の加熱により瞬時に被施術者の皮膚に届く。皮膚表面において遠赤外線は皮膚表面で吸収され速やかに熱に変換される。皮膚表面自体において熱に変換されるのでこの熱により身体が暖められる。従ってマッサージの施術の効果を少なくとも感覚的に高める。
（他の実施例）
【００２７】
図４はフィルムヒータの他の実施例の断面図である。前実施例と同一部分の説明は省略し異なる部分のみについて説明する。図４において下面材６のポリエチレンテレフタレート（ＰＥＴ）フィルム６ａの上面には全面にアルミ粉を蒸着してアルミ層６ｃを設けてある。アルミ層６ｃにより、発熱体８から発する遠赤外線は反射されるので、該遠赤外線がフィルムヒータ４の下面側に来る断熱材に吸収されて該部材を加熱することが防止される。
【符号の説明】
【００２８】
１…ベッド  １ａ…脚  １ｂ…天板
２…マット  
３…外被    
４…フィルムヒータ
５…支持体  
６…下面材  ６ａ…フィルム（ＰＥＴ）  ６ｂ…フィルム（ＰＥ）  ６ｃ…アルミ層  
７…収縮膨張防止材
８…発熱体  ８ａ，８ｂ，８ｃ…発熱体
９…収縮膨張防止材
１０…上面材  １０ａ…フィルム（ＰＥＴ）  １０ｂ…フィルム（ＰＥ）
１１…電極  
１２ａ，１２ｂ，１２ｃ…取付部
１３…コントローラ
１４…配線
ｗ…幅
【要約】
【目的】従来の遠赤外線を発生するマットで遠赤外線発生物質を粒状物とするものはマットに納めた状態で形がくずれ易く、又加熱手段として面状ヒータが必要でマットとしては特別な構成で通常のマットに適用出来ない。また、遠赤外線を発生するとされる遠赤外線発生シートを用いるマットは加熱手段を備えておらず、遠赤外線の発生はわずかである。
【構成】ＰＥＴフィルム６ａ上に重ねたＰＥフィルム６ｂ上に不織布の収縮膨張防止材７を施した上にカーボン粉末を塗布して発熱体とし、カーボン粉末上に不織布の収縮膨張防止材９を施し、その上にＰＥＴフィルム１０ｂ、ＰＥＴフィルム１０ａをラミネートして構成したフィルムヒータ４をマッサージ用ベッドに用いるマットに仕組む。この仕組はマットの中身の最上層で外被の下面に位置してマット内容物と固定する。電極１１を通じて発熱体８は通電発熱し、生じた遠赤外線は被施術者を直ちに加熱する。
【選択図】  図１【図１】
0005550762.tif 000002
【図２】
0005550762.tif 000003
【図３】
0005550762.tif 000004
【図４】
0005550762.tif 000005
【図５】
0005550762.tif 000006
【図６】
0005550762.tif 000007